(57)【特許請求の範囲】
【請求項１】
根太間に設置される床暖房用発熱ユニットにおいて、
前記根太間に嵌め込まれるように、一定間隔で並列的に配置された複数の断熱部材と、
前記断熱部材の上面を覆うようにして複数の前記断熱部材を相互に連結する、伸縮性及び透光性を有する素材によって形成されたシート状の連結部材と、
前記各断熱部材に対応してそれぞれ設けられた複数の発熱体とを備え、
前記発熱体が、前記断熱部材の上面または前記連結部材の上面に取り付けられていることを特徴とする床暖房用発熱ユニット。
【請求項２】
根太間に設置される床暖房用発熱ユニットにおいて、
前記根太間に嵌め込まれるように、一定間隔で並列的に配置された複数の断熱部材と、
前記断熱部材の上面を覆うようにして複数の前記断熱部材を相互に連結する、ネットによって形成されたシート状の連結部材と、
前記各断熱部材に対応してそれぞれ設けられた複数の発熱体とを備え、
前記発熱体が、前記断熱部材の上面または前記連結部材の上面に取り付けられていることを特徴とする床暖房用発熱ユニット。
【請求項３】
複数の前記発熱体が電気ヒータによって構成されており、
前記各電気ヒータが、電源線を介して相互に電気的に接続されている請求項１または２に記載の床暖房用発熱ユニット。
【発明の詳細な説明】
【０００１】
【発明の属する技術分野】
この発明は、根太間に設置される床暖房用発熱ユニット及びその床暖房用発熱ユニットを用いた床暖房構造に関する。
【０００２】
【従来の技術】
根太間に設置される床暖房用発熱ユニットとしては、例えば、特開平５−７９６５０号公報に開示されたものがある。図４に示すように、この床暖房用発熱ユニット５０は、根太間に嵌め込まれる金属容器５１と、この金属容器５１内に収容される電気ヒータ５２及び断熱部材５３とから構成されており、前記金属容器５１の内部には、前記電気ヒータ５２が上面に接触するように設置され、その電気ヒータ５２の下方側に断熱材５３が充填された構造になっている。
【０００３】
以上のように構成された床暖房用発熱ユニット５０は、図５に示すように、根太Ａに支持金具６０を取り付けた後、この支持金具６０の上に床暖房ユニット５０を載置することで根太Ａ間に設置され、さらに、根太Ａの上に床仕上材Ｂが敷設されるようになっている。
【０００４】
【発明が解決しようとする課題】
ところで、上述した床暖房用発熱ユニット５０は、金属容器５１内に電気ヒータ５２と断熱材５３とを収容したものであるため、製造コストが高くなると共に床暖房用発熱ユニット５０自体の重量が比較的大きくなるといった問題がある。
【０００５】
また、この床暖房用発熱ユニット５０を設置するためには、上述したように、各根太Ａに支持金具６０を取り付けなければならず、しかも、床暖房用発熱ユニット５０を設置する際には、隣接する床暖房用発熱ユニット５０の電源線等を相互に結線しなければならないので、施工に手間がかかるといった問題がある。
【０００６】
そこで、この発明の課題は、製造コストを抑えることができると共に軽量化を図ることができ、しかも、施工に手間がかからず、施工コストを抑えることのできる床暖房用発熱ユニット及びその床暖房用発熱ユニットを用いた床暖房構造を提供することにある。
【０００７】
【課題を解決するための手段】
上記の課題を解決するため、この発明は、根太間に設置される床暖房用発熱ユニットを、前記根太間に嵌め込まれるように、一定間隔で並列的に配置された複数の断熱部材と、前記断熱部材の上面を覆うようにして複数の前記断熱部材を相互に連結する、伸縮性及び透光性を有する素材によって形成されたシート状の連結部材と、前記各断熱部材に対応してそれぞれ設けられた複数の発熱体とによって構成し、前記発熱体を、前記断熱部材の上面または前記連結部材の上面に取り付けるようにしたのである。
【０００８】
以上のように構成された床暖房用発熱ユニットは、複数の発熱体及び断熱部材がシート状の連結部材によって連結されているので、各断熱部材を根太間に嵌め込むようにして根太上に敷きつめるだけで、複数の根太間部分を含む領域にわたって一度に設置でき、さらに、その上に床仕上材を敷設するだけで、簡単に床暖房構造を構成することができる。
【０００９】
特に、前記連結部材を、ネット等のような伸縮性及び透光性を有する素材によって形成しておくと、一定間隔で並列的に配置された断熱部材が根太間部分に正確に一致していない場合でも、床暖房用発熱ユニットを無理なく設置することができ、しかも、連結部材の上から根太部分を明確に認識できるので、床仕上材を根太部分に釘止めする際の作業性が向上する。
【００１０】
また、複数の前記発熱体を電気ヒータによって構成し、各電気ヒータが、電源線を介して相互に電気的に接続されているものにあっては、施工段階において、床暖房用発熱ユニット内の各電気ヒータ間の結線作業が不要となるので、さらに施工性が向上する。
【００１２】
【発明の実施の形態】
以下、実施の形態について図面を参照して説明する。図１に示すように、この床暖房構造１は、図示しない大引の上に直交するように、一定間隔で並列的に配設された複数の根太１０と、この根太１０間（根太１０の上）に敷設される床暖房用発熱ユニット（以下、発熱ユニットという。）２０と、この発熱ユニット２０の上に敷設される床仕上材３０とから構成されている。
【００１３】
前記発熱ユニット２０は、図１ないし図３に示すように、根太１０間に嵌め込まれるように、一定間隔で並列的に配置された、発砲ウレタンブロック等からなる複数の断熱部材２１と、各断熱部材２１の上面にそれぞれ配設された線ヒータからなる電気ヒータ２２と、電気ヒータ２２が配設された複数の断熱部材２１を相互に連結するシート状の連結部材２３とから構成されており、前記連結部材２３は、その裏面側に各断熱部材２１の上面がそれぞれ貼着されることで複数の断熱部材２１を相互に連結するようになっている。
【００１４】
前記断熱部材２１には、図２（ａ）及び図３に示すように、その上面に溝状のヒータパターン２１ａが予め形成されており、このヒータパターン２１ａ内に電気ヒータ２２を構成する線ヒータが収容されている。なお、前記電気ヒータ２３はシート状の連結部材２３に接着固定されている。
【００１５】
各断熱部材２１にそれぞれ配設された複数の電気ヒータ２２は、予め電源線２４を介して相互に電気的に接続されており、前記根太１０の上面には、隣接する電気ヒータ２２同士を接続する電源線２４を収容するための電線収容溝１０ａが形成されている。
【００１６】
前記連結部材２３は、ある程度の伸縮性を有する厚み０．１〜１．０ｍｍのポリエステル樹脂製ネットによって形成されており、この連結部材２３の上方から下地となる根太１０部分を認識することができるようになっている。
【００１７】
前記床仕上材３０は、３プライ合板や５プライ合板等によって形成された基材の上面に突板等の表面化粧材が貼着されたものであり、突板の繊維方向と基材の表層部分の繊維方向とが相互に直交するようになっている。
【００１８】
また、この床仕上材３０は、上述した発熱ユニット２０より小さなサイズのものを順番に並べて敷きつめることで床面が形成されるようになっており、各床仕上材３０は、接着剤を介して発熱ユニット２０の上面に貼り合わせた状態で、根太１０部分に釘止めされている。
【００１９】
以上のように構成された床暖房構造１は、まず、大引の上に直交するように、複数の根太１０を一定間隔で並列的に配設した後、各断熱部材２１を根太１０間に嵌め込むようにして根太１０の上に発熱ユニット２０を敷きつめ、さらに、その上に床仕上材３０を敷設することにより構成される。
【００２０】
なお、根太１０の上に発熱ユニット２０を敷きつめた状態では、根太１０間部分に、線ヒータからなる電気ヒータ２２を取り付けた軽量の断熱部材２１のみが嵌め込まれることになるので、複数の根太１０を覆うシート状の連結部材２３によって、電気ヒータ２２を有する断熱部材２１を根太１０間の上部位置に保持することができ、特に、発熱ユニット２０を根太１０に固定する必要がない。
【００２１】
以上のように、この発熱ユニット２０は、複数の電気ヒータ２２及び断熱部材２１がシート状の連結部材２３によって単に連結されているだけなので、金属容器内に電気ヒータや断熱材を収容した従来の床暖房用発熱ユニットに比べて製造コストの低減を図ることができる。
【００２２】
また、この発熱ユニット２０は、上述したように、根太１０の上に敷きつめるだけで、複数の根太１０間部分を含む広い領域にわたって一度に設置することができるので、従来の床暖房用発熱ユニットに比べて手間をかけることなく簡単に設置することができる。
【００２３】
また、この発熱ユニット２０は、上述したように、各電気ヒータ２２が、予め電源線２４を介して相互に電気的に接続されているので、施工段階において、発熱ユニット２０内における各電気ヒータ２２間の結線作業が不要となる。
【００２４】
また、ポリエステル樹脂製ネットによって形成された連結部材２３は伸縮性能を備えているので、発熱ユニット２０における断熱部材２１の取付間隔に正確に対応するように、根太１０が施工されていない場合であっても、連結部材２３を伸縮させることにより、ある程度の自由度を持たせることができるので、発熱ユニット２０を無理なく設置することができる。
【００２５】
また、この発熱ユニット２０を根太１０の上に敷きつめた状態では、ポリエステル樹脂製ネットによって形成された連結部材２３の上から、根太１０部分を認識することができるので、床仕上材３０を根太１０部分に釘止めする際の作業性が向上する。
【００２６】
なお、この実施形態では、断熱部材２１と連結部材２３との間に電気ヒータ２２を挟み込むようにしているが、これに限定されるものではなく、例えば、断熱部材２１の上面に連結部材２３を貼着した状態で、その連結部材２３の上面に電気ヒータ２２を取り付けたものであってもよい。
【００２７】
また、この実施形態では、発熱体として線ヒータからなる電気ヒータ２２を使用しているが、これに限定されるものではなく、例えば、Ｐ特性を有する特殊半導体インキを耐熱性特殊フィルムに銅箔電極と共に溶剤（接着剤）によって定着加工した後、遠赤外線により乾燥処理した自己温度制御特性を有している面状発熱体や、熱源として温水を用いる温水チューブ等の種々の発熱体を採用することができる。
【００２８】
また、この実施形態では、伸縮性及び透光性を有する連結部材２３として、ポリエステル樹脂製ネットを使用しているが、これに限定されるものではなく、伸縮性を有する透明な合成樹脂シート等を採用することもできる。また、こういった伸縮性及び透光性は、連結部材２３の特性として必ずしも必要なものではなく、透光性を備えていない不織布等を使用することも可能である。ただし、伸縮性のない素材によって連結部材２３を形成する場合は根太１０の設置間隔を正確に設定しておく必要があり、また、透光性を備えていない素材によって連結部材２３を形成する場合は連結部材２３の上面に予め釘打ち可能な領域を表示しておくことが望ましい。
【００２９】
また、上面に熱伝導性の良好な均熱シートを貼着した発熱ユニット２０を使用すると、発熱ユニット２０の熱を床仕上材３０に均一に伝達させることができる。ただし、均熱シートとしては、通常、アルミニウム箔、銅箔、亜鉛箔等の金属箔やアルミニウム板、銅板等の薄い金属板が使用されるので、こういった均熱シートを貼着すると、連結部材２３の伸縮性や透光性が損なわれることになるので、その場合は、特に、連結部材２３を伸縮性や透光性を有する素材によって形成する必要はない。また、こういった均熱シートを貼着する場合は、透光性のない素材によって連結部材２３を形成する場合と同様に、均熱シートの上面に予め釘打ち可能な領域を表示しておくことが望ましい。
【００３０】
また、均熱シートは、必ずしも発熱ユニット側に貼着する必要はなく、例えば、裏面に予めアルミニウム箔等の均熱シートが貼着された床仕上材３０を使用したり、施工段階で、発熱ユニット２０と床仕上材３０との間にアルミニウム箔等の均熱シートを挟み込むものであってもよい。さらに、前記連結部材２３自体をアルミニウム箔等の均熱シートによって形成することも可能である。
【００３１】
【発明の効果】
以上のように、この発明の床暖房用発熱ユニットは、複数の発熱体及び断熱部材をシート状の連結部材によって連結する構成を採用したので、金属容器等を用いた従来の床暖房用発熱ユニットに比べて軽量化されると共に製造コストを抑えることができる。
【００３２】
また、この発明の床暖房用発熱ユニットは、各断熱部材を根太間に嵌め込むようにして根太上に敷きつめるだけで、複数の根太間部分を含む領域にわたって一度に設置することができるので、支持金具を用いて根太間部分毎に個別に設置していく従来の床暖房用発熱ユニットに比べて施工に手間がかからず、施工コストを抑えることができる。
【００３３】
従って、この発明の床暖房用発熱ユニットを用いることによって、従来の床暖房構造と比較して、施工面及びコスト面の双方において優れた床暖房構造を実現することができる。
【図面の簡単な説明】
【図１】この発明にかかる床暖房用発熱ユニットを用いた床暖房構造を示す概略断面図である。
【図２】（ａ）は同上の床暖房用発熱ユニットを示す平面図、（ｂ）は同上の床暖房用発熱ユニットを示す裏面図である。
【図３】図２（ａ）のＸ−Ｘ線に沿った断面図である。
【図４】従来の床暖房用発熱ユニットを示す概略断面図である。
【図５】従来の床暖房用発熱ユニットを用いた床暖房構造を示す概略断面図である。
【符号の説明】
１  床暖房構造
１０  根太
１０ａ  電線収容溝
２０  床暖房用発熱ユニット
２１  断熱部材
２２  電気ヒータ
２３  連結部材
２４  電源線
３０  床仕上材
【図１】
0003986157.tif 000002
【図２】
0003986157.tif 000003
【図３】
0003986157.tif 000004
【図４】
0003986157.tif 000005
【図５】
0003986157.tif 000006